(57)【要約】【課題】  毛髪を確実に挟持してウェーブを容易に形成することができる毛髪のウェーブ形成具を提供する。【解決手段】  軸方向に延びるロッド１０と、ロッド１０に着脱可能に装着される断面円弧状のカバー２０とを備え、ロッド１０とカバー２０との間に毛髪を挟持してカバー２０の外周に巻き付けることにより、毛髪にウェーブを形成する毛髪のウェーブ形成具１であって、ロッド１０は、一端側から他端側に向けて拡径する円錐台状に形成されており、カバー２０は、ロッド１０の一端側に回動自在に取り付けられている。【選択図】  図１
2019033779.tif 000002
【特許請求の範囲】
【請求項１】
軸方向に延びるロッドと、前記ロッドに着脱可能に装着される断面円弧状のカバーとを備え、前記ロッドと前記カバーとの間に毛髪を挟持して前記カバーの外周に巻き付けることにより、毛髪にウェーブを形成する毛髪のウェーブ形成具であって、
前記ロッドは、一端側から他端側に向けて拡径する円錐台状に形成されており、
前記カバーは、前記ロッドの一端側に回動自在に取り付けられている毛髪のウェーブ形成具。
【請求項２】
前記ロッドは、外周面に軸方向および周方向に沿って複数の突起が設けられており、
複数の前記突起は、前記ロッドの軸方向に沿って一端側から他端側に向けて突出高さが徐々に低くなる一方、前記ロッドの周方向に沿って同じ突出高さとなるように形成されている請求項１に記載の毛髪のウェーブ形成具。
【請求項３】
係合孔が形成された把持部を一端側に有し、他端側が前記ロッドの他端側に取り付けられた弾性帯状の保持体を更に備え、
前記ロッドは、係止部を一端側に有しており、
前記把持部を把持して前記係合孔を前記係止部に係合させることにより、前記カバーの外周に巻き付けられた毛髪を前記保持体により固定することができる請求項１または２に記載の毛髪のウェーブ形成具。
【請求項４】
前記保持体は、長手方向に沿って延びる縦溝が形成されている請求項３に記載の毛髪のウェーブ形成具。
【請求項５】
前記把持部は、前記保持体の幅方向に沿って複数の横溝が形成されている請求項３または４に記載の毛髪のウェーブ形成具。
【発明の詳細な説明】
【技術分野】
【０００１】
本発明は、毛髪のウェーブ形成具に関する。
【背景技術】
【０００２】
従来のウェーブ形成具として、例えば、特許文献１に開示された構成が知られている。図６に示すように、このウェーブ形成具５０は、円柱状のロッド６０と、ロッド６０に外嵌される半円筒状のカバー７０と、カバー７０を覆うようにロッド６０の両端に取り付けられる弾性帯状の保持体８０とを備えている。カバー７０の端部は、回動ピン等の回動部７２を介してロッド６０の一端側に回動可能に取り付けられている。
【０００３】
このウェーブ形成具５０によれば、カバー７０を破線で示す位置から矢示方向に回動させてカバー７０を閉じることにより、ロッド６０とカバー７０との間に毛束を挟持することができる。ついで、ロッド６０およびカバー７０を毛先までスライドさせて、ロッド６０をカバー７０と共に回転させることによりカバー７０の外周面に毛束を巻き付けた後、保持体８０により毛束を固定することができる。
【先行技術文献】
【特許文献】
【０００４】
【特許文献１】特開２０１５−２３８９６号公報
【発明の概要】
【発明が解決しようとする課題】
【０００５】
ところが、上記従来のウェーブ形成具５０は、ロッド６０の外周面に毛束を載置してカバー７０を閉じると、カバー７０が毛束をロッド６０の他端側に向けて押し出してしまい、ロッド６０とカバー７０との間に所望の量の毛束を挟持することが困難になるおそれがあった。
【０００６】
そこで、本発明は、毛髪を確実に挟持してウェーブを容易に形成することができる毛髪のウェーブ形成具の提供を目的とする。
【課題を解決するための手段】
【０００７】
本発明の前記目的は、軸方向に延びるロッドと、前記ロッドに着脱可能に装着される断面円弧状のカバーとを備え、前記ロッドと前記カバーとの間に毛髪を挟持して前記カバーの外周に巻き付けることにより、毛髪にウェーブを形成する毛髪のウェーブ形成具であって、前記ロッドは、一端側から他端側に向けて拡径する円錐台状に形成されており、前記カバーは、前記ロッドの一端側に回動自在に取り付けられている毛髪のウェーブ形成具により達成される。
【０００８】
この毛髪のウェーブ形成具において、前記ロッドは、外周面に軸方向および周方向に沿って複数の突起が設けられていることが好ましい。この構成において、複数の前記突起は、前記ロッドの軸方向に沿って一端側から他端側に向けて突出高さが徐々に低くなる一方、前記ロッドの周方向に沿って同じ突出高さとなるように形成されていることが好ましい。
【０００９】
また、係合孔が形成された把持部を一端側に有し、他端側が前記ロッドの他端側に取り付けられた弾性帯状の保持体を更に備えることが好ましい。前記ロッドは、係止部を一端側に有することが可能であり、前記把持部を把持して前記係合孔を前記係止部に係合させることにより、前記カバーの外周に巻き付けられた毛髪を前記保持体により固定することができる。前記保持体は、長手方向に沿って延びる縦溝が形成されることが好ましい。前記把持部は、前記保持体の幅方向に沿って複数の横溝が形成されることが好ましい。
【発明の効果】
【００１０】
本発明によれば、毛髪を確実に挟持してウェーブを容易に形成することができる毛髪のウェーブ形成具を提供することができる。
【図面の簡単な説明】
【００１１】
【図１】本発明の一実施形態に係る毛髪のウェーブ形成具の正面図である。
【図２】（ａ）および（ｂ）は、図１のウェーブ形成具の側面図である。
【図３】図１の毛髪のウェーブ形成具の使用状態を示す要部拡大正面図である。
【図４】図１の毛髪のウェーブ形成具の要部断面図である。
【図５】本発明の他の実施形態に係る毛髪のウェーブ形成具の要部拡大正面図である。
【図６】従来の毛髪のウェーブ形成具の正面図である。
【発明を実施するための形態】
【００１２】
以下、本発明の実施の形態について、添付図面を参照して説明する。図１は、本発明の一実施形態に係る毛髪のウェーブ形成具の正面図である。図１に示すように、ウェーブ形成具１は、軸方向に延びるロッド１０と、ロッド１０の両端にそれぞれ取り付けられたカバー２０および保持体３０とを備えており、ロッド１０とカバー２０との間に毛髪を挟持して使用する。
【００１３】
ロッド１０は、円柱状の軸体１１と、軸体１１に回転可能に外嵌されたテーパ筒状の本体１２とを備えており、合成樹脂等から形成されている。本体１２は、摩擦係数の高い材料を使用したり、外周面にシボ加工等の滑り止め加工を施したり、シリコーンゴム等からなる滑り止めシートを外周面に巻き付ける等して、毛髪がロッド１０の表面から滑り落ち難いように構成することが好ましい。本体１２は、軸体１１に対して必ずしも回転自在である必要はなく、例えば、テーパ状の軸体の表面にシート状の本体を巻き付けて固定することにより、ロッドを構成してもよい。
【００１４】
ロッド１０は、軸方向の一端側から他端側に向けて拡径する円錐台状に形成されるが、毛髪を挟持する部分が円錐台状であればよく、必ずしも軸方向の全体にわたって円錐台状である必要はない。ロッド１０の小径側となる一端側には、軸体１１の端面から突出する係止部１６が設けられている。また、ロッド１０の大径側となる他端側の軸体１１の端面には、保持体３０が取り付けられる取付部１４が設けられている。
【００１５】
カバー２０は、可撓性を有する半円筒状等の断面円弧状の部材であり、内周面が平滑に形成されている。カバー２０の周方向の両端部には、複数のスリット２２が櫛状に形成されている（図１では、周方向一端部のスリット２２のみが示されている）。また、カバー２０には、パーマネント液などの薬液が通過する貫通孔２４が形成されている。
【００１６】
カバー２０の一端部は、ロッド１０の一端側となる軸体１１に、回動ピン等の回動部２６を介して回動自在に取り付けられており、図１の矢示方向に回動させることにより、カバー２０をロッド１０に装着することができる。カバー２０を回動させたときの係止部１６との干渉を防止するため、カバー２０の一端側には切欠部２８が形成されている。
【００１７】
カバー２０は、内径がロッド１０の外径と略同じであり、自身の弾性変形により、ロッド１０の外周面（本実施形態では本体１２の外周面）に保持されるように形成されている。カバー２０の内周面の周方向長さは、カバー２０がロッド１０の本体１２に確実に保持されるように、本体１２の外周の半周分から全周分の間の長さであることが好ましい。カバー２０の内径は、本体１２の外径よりも若干小さく形成してもよく、カバー２０の弾性変形による本体１２への装着をより確実にすることができる。また、カバー２０の内径は、回動部２６側の一端側から他端側に向けて徐々に小さくなるようにテーパ状に形成してもよく、これによって、カバー２０と本体１２との間に毛髪を確実に保持することができる。この場合、カバー２０の一端および他端における内径の差は、０．１〜１ｍｍ程度であることが好ましい。
【００１８】
カバー２０の軸方向長さは特に限定されないが、ロッド１０の本体１２とカバー２０との間に毛髪を確実に挟持できるように、本体１２の略全体を覆う長さであることが好ましい。カバー２０を閉じて本体１２に装着したときに、カバー２０の他端部が本体１２から若干はみ出すように構成すると、カバー２０を再び開ける際に、このはみ出し部に指を掛けて容易に押し上げることができる。
【００１９】
保持体３０は、シリコーンゴム等の弾性材料からなる帯状の部材であり、把持部３３を一端側に備え、ロッド１０の取付部１４に取り付けられる取付孔３２が他端側に形成されている。把持部３３には係合孔３４が形成されており、把持部３３を把持して保持体３０を弾性伸長させることにより、係合孔３４を係止部１６に係止させることができる。保持体３０の表裏面の中央には、長手方向に沿って延びる縦溝３０ａが形成されている。また、把持部３３の表裏面には、保持体３０の幅方向に沿って複数の横溝３０ｂが形成されている。横溝３０ｂは、少なくとも係合孔３４よりも端部側に形成されることが好ましい。
【００２０】
上記の構成を備えるウェーブ形成具１は、図２（ａ）に側面図で示すように、カバー２０を閉じてロッド１０に装着した後、図２（ｂ）に示すように保持体３０の係合孔３４をロッド１０の係止部１６に係止させることにより、カバー２０を覆うように保持体３０をロッド１０に装着することができる。
【００２１】
図３に示すように、ロッド１０の本体１２の外周面に毛髪Ｈを載置してカバー２０を閉じようとすると、毛髪Ｈはロッド１０の小径側からカバー２０との間に挟持されていくため、毛髪Ｈには、矢示Ａ方向に向けた押圧力が作用する。本実施形態のウェーブ形成具１のロッド１０は、本体１２の部分が一端側から他端側に向けて拡径する円錐台状に形成されていることから、カバー２０を閉じた状態で、破線で示すカバー内周面２０ａとの間に生じる隙間Ｓは、一端側から他端側に向けて徐々に狭くなる。したがって、カバー２０を閉じる動作によって、本体１２の外周面に毛髪Ｈを軸方向に均一に分散しつつ、カバー２０の他端側から毛髪Ｈを押し出すのを防止することができ、ロッド１０とカバー２０との間に毛髪Ｈを確実に挟持することができる。
【００２２】
カバー２０を閉じたときに本体１２の外周面とカバー内周面２０ａとの間に形成される隙間Ｓは、本体１２の小径側である一端側で最大となる。この隙間Ｓの最大値は、大きすぎると本体１２の一端側での毛髪Ｈの挟持が困難になる一方、小さすぎると毛髪Ｈがカバー２０の他端側から押し出され易くなるため、例えば、０．１〜１ｍｍ程度になるように設定することが好ましい。
【００２３】
本実施形態のウェーブ形成具１の使用方法は、上記特許文献１に開示された従来のウェーブ形成器具と同様である。すなわち、ロッド１０とカバー２０との間に毛髪Ｈを挟持して毛先までスライドさせた後、毛髪Ｈをカバー２０の外周面に巻き付けていくことにより、毛髪Ｈにウェーブを形成することができる。毛髪Ｈに対するパーマネント液等の薬液の塗布は、ロッド１０およびカバー２０による毛髪Ｈの挟持前後に行うことが可能であり、薬液を使用せずに毛髪Ｈに緩いウェーブを形成することも可能である。
【００２４】
カバー２０に巻き付けられた毛髪Ｈは、保持体３０によってカバー２０の外周面に固定することができる。毛髪Ｈは、付け根の近傍で保持体３０により固定されるため、保持体３０により押さえつけられた毛髪Ｈが鋭く屈曲して、毛髪Ｈに固定跡が付いたり断毛の原因になるおそれがあるが、本実施形態の保持体３０は、図４に示すように、表裏面にＶ字状の縦溝３０ａが形成されているため、幅方向に容易に屈曲することができる。したがって、毛髪Ｈを損傷させることなく毛髪Ｈの形状に保持体３０の形状を容易に追従させることができるので、例えば、頭皮からの立ち上がりが大きいパーマネントをかけて、毛髪が少ない人や細い人のボリュームアップ向上を容易にすることができる。保持体３０の断面外周は、矩形状の角部が円弧状に丸みを帯びた形状であることが好ましい。本実施形態においては、保持体３０の表裏面の双方に縦溝３０ａを形成しているが、いずれか一方面のみに縦溝３０ａを形成してもよい。保持体３０の断面形状は、毛髪Ｈが鋭く屈曲するのを防止することができる形状であればよく、本実施形態の形状以外に、例えば、半円状や楕円形状等であってもよい。
【００２５】
また、本実施形態の保持体３０は、把持部３３の表裏面に複数の横溝３０ｂが形成されているため、シス系のパーマネント液等のように滑り易い薬液が把持部３３に付着した場合でも、横溝３０ｂを介して把持部３３からの薬液の排出を促すことができるので、作業性を良好にすることができる。横溝３０ｂの形状は、深いＶ字状であることが好ましく、横溝３０ｂの深さを確保するために、本実施形態のように把持部３３の表裏面にリブを設けて横溝３０ｂを形成することが好ましい。
【００２６】
以上、本発明の一実施形態について詳述したが、本発明の具体的な態様は上記実施形態に限定されない。例えば、図５に示すように、ロッド１０の本体１２の外周面に突起１８を設けてもよい。突起１８は、ロッド１０の軸方向（Ｂ方向）および周方向（Ｃ方向）のそれぞれに沿って等間隔に複数配置されている。各突起１８は、ロッド１０の軸方向に沿って配置されたもの同士（例えば、突起１８−１および１８−２）を比較した場合に、一端側から他端側に向けて本体１２の外周面からの突出高さが徐々に低くなるように形成されている。また、各突起１８は、ロッド１０の周方向に沿って配置されたもの同士（例えば、突起１８−２および１８−３）を比較した場合に、本体１２の外周面から同じ突出高さとなるように形成されている。
【００２７】
図５に示す構成によれば、破線で示すカバー内周面２０ａを、複数の突起１８の頂部に確実に当接させて、ロッド１０とカバー２０との間に生じる空間を分断することができる。したがって、各突起１８の間に毛髪を保持して、カバー２０による毛髪の押し出しをより確実に防止することができると共に、毛髪がロッド１０から滑り落ちるのを防止して、カバー２０による挟持をより確実にすることができる。更に、各突起１８が櫛歯のように機能して、毛髪の流れを案内することができる。
【符号の説明】
【００２８】
１  ウェーブ形成具
１０  ロッド
１２  本体
１６  係止部
１８  突起
２０  カバー
３０  保持体
３０ａ  縦溝
３０ｂ  横溝
３３  把持部
３４  係合孔
【図１】
2019033779.tif 000003
【図２】
2019033779.tif 000004
【図３】
2019033779.tif 000005
【図４】
2019033779.tif 000006
【図５】
2019033779.tif 000007
【図６】
2019033779.tif 000008
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
軸方向に延びるロッドと、前記ロッドに着脱可能に装着される断面円弧状のカバーとを備え、前記ロッドと前記カバーとの間に毛髪を挟持して前記カバーの外周に巻き付けることにより、毛髪にウェーブを形成する毛髪のウェーブ形成具であって、
前記ロッドは、一端側から他端側に向けて拡径する円錐台状に形成されており、
前記カバーは、前記ロッドの一端側に回動自在に取り付けられ、
前記ロッドは、外周面に軸方向および周方向に沿って複数の突起が設けられており、
複数の前記突起は、前記ロッドの軸方向に沿って一端側から他端側に向けて突出高さが徐々に低くなる一方、前記ロッドの周方向に沿って同じ突出高さとなるように形成されているウェーブ形成具。
【請求項２】
係合孔が形成された把持部を一端側に有し、他端側が前記ロッドの他端側に取り付けられた弾性帯状の保持体を更に備え、
前記ロッドは、係止部を一端側に有しており、
前記把持部を把持して前記係合孔を前記係止部に係合させることにより、前記カバーの外周に巻き付けられた毛髪を前記保持体により固定することができる請求項１に記載の毛髪のウェーブ形成具。
【請求項３】
前記保持体は、長手方向に沿って延びる縦溝が形成されている請求項２に記載の毛髪のウェーブ形成具。
【請求項４】
前記把持部は、前記保持体の幅方向に沿って複数の横溝が形成されている請求項２または３に記載の毛髪のウェーブ形成具。
【手続補正２】
【補正対象書類名】明細書
【補正対象項目名】０００７
【補正方法】変更
【補正の内容】
【０００７】
本発明の前記目的は、軸方向に延びるロッドと、前記ロッドに着脱可能に装着される断面円弧状のカバーとを備え、前記ロッドと前記カバーとの間に毛髪を挟持して前記カバーの外周に巻き付けることにより、毛髪にウェーブを形成する毛髪のウェーブ形成具であって、前記ロッドは、一端側から他端側に向けて拡径する円錐台状に形成されており、前記カバーは、前記ロッドの一端側に回動自在に取り付けられ、前記ロッドは、外周面に軸方向および周方向に沿って複数の突起が設けられており、複数の前記突起は、前記ロッドの軸方向に沿って一端側から他端側に向けて突出高さが徐々に低くなる一方、前記ロッドの周方向に沿って同じ突出高さとなるように形成されているウェーブ形成具により達成される。
【手続補正３】
【補正対象書類名】明細書
【補正対象項目名】０００８
【補正方法】削除
【補正の内容】